(57)【要約】【課題】レンジフード付き高周波加熱装置において、照明装置の寿命を長くし、交換する作業をほとんど不要にすること。【解決手段】加熱室１と、高周波電力を供給するマグネトロン３と、加熱室１の壁面の外側に隣接して設けられた庫内照明装置４と、本体の下部に設け加熱調理装置を照明するＬＥＤ照明装置５と、マグネトロン３と庫内照明装置４とＬＥＤ照明装置５とを制御する制御手段１２とを備え、ＬＥＤ照明装置５は発光ダイオード素子を用い、ＬＥＤ照明装置５は制御手段１２が制御するスイッチング電源１３から電源供給され、ＬＥＤ照明装置５は表面をメッキ処理した反射板２０で集光され、ＬＥＤ素子は熱伝導率の高いアルミ製熱伝導板の上に配し、放熱効果により自己冷却を行うことで、ＬＥＤ照明装置５の寿命が長くなり半永久的に使用できるので、交換作業が不要になり、使い勝手が向上する。【選択図】図１
2013113568.tif 000002
【特許請求の範囲】
【請求項１】
被加熱物を調理する加熱調理装置の上方に設けられるレンジフード付き高周波加熱装置において、装置本体内に設けられ被加熱物を収納する加熱室と、前記加熱室内に高周波電力を供給する高周波発生手段と、前記加熱室の壁面の外側に隣接して設けられた庫内照明装置と、前記装置本体の下部に設け前記加熱調理装置を照明する下方照明装置と、前記高周波発生手段と前記庫内照明装置と前記下方照明装置とを制御する制御手段とを備え、
前記下方照明装置は発光ダイオード素子を用いたＬＥＤ照明であり、前記制御手段が制御するスイッチング電源から商用電源より低い低電圧電源を供給し、
照明効率を高め集光するためにメッキ処理を施した反射板を有したレンジフード付き高周波加熱装置。
【請求項２】
発光ダイオード素子は放熱効果を高めるために熱伝導率の高いアルミ製熱伝導板の上に配し、前記アルミ製熱伝導板の熱を加熱室底面に放熱する取付板と前記メッキ処理を施した反射板に機械的に固定する請求項１に記載のレンジフード付き高周波加熱装置。
【発明の詳細な説明】
【技術分野】
【０００１】
本発明は、高周波加熱装置で装置本体の下方に設置された他の加熱調理装置から発生する生成ガスを室内循環もしくは戸外に排出するフードファン機能を備え、かつ下方に設置した調理器の調理物を照明する照明装置を有するレンジフード付き高周波加熱装置に関するものである。
【背景技術】
【０００２】
従来、レンジフード付き高周波加熱装置の照明装置は、本体下部に設けられた下方照明用ランプと、本体内に設けられた加熱室内照明用ランプ（庫内灯）とを備えている（例えば、特許文献１参照）。
【０００３】
下方照明用ランプは、高周波加熱装置本体下方に設置されたガスコンロ等加熱調理装置、及びこの調理装置で調理されている調理物を照明する機能と共に、間接照明として台所内照明灯の機能とが、顧客（使用者）から求められている。そのため、下方照明装置としてのランプは、下方のガスコンロで調理される調理物の出来具合を判断するため、照明器具としての照度が要求される。
【０００４】
また、レンジフード付き高周波加熱装置の下方照明装置としてのランプは、本体底面部分に設置され、本体下方に設置されたガスや電気を用いた加熱調理装置からの高温の生成ガスによる温度の影響を受けやすい配置構造となっている。さらに、照明装置へ供給している家庭用商用電源の電圧値で高温高湿環境に対応する高い絶縁性能が求められている。
【先行技術文献】
【特許文献】
【０００５】
【特許文献１】特開２００３−２８４３１号公報
【発明の概要】
【発明が解決しようとする課題】
【０００６】
しかしながら、一方では、近年、高周波加熱装置の本体下方に設置されたガスや電気を用いた調理装置は、従来主流であった４口コンロのものから、５口コンロへと機能が向上するに伴い、下方照明装置として、広域を照明することができるよう照明機能の向上も求められている。そして、その手段として、下方照明用ランプが白熱球のものから、ハロゲン電球のものへと、また、消費電力が２０Ｗから４０Ｗのものへと、性能向上と共に多様化している。
【０００７】
このように、本体下方に設けられた下方照明装置の高出力化に伴い、そのランプの形状や発熱量も大きくなり、その絶縁構造も高度な性能が要求され、複雑化してきている。
【０００８】
また他方では、製造メーカ各社によって、白熱球やハロゲンなどの種類や取付形状、ワット数などの仕様がまちまちであった。このため、下方照明用ランプが、破損した場合、顧客が、取り付けピンのピッチが同じランプや、取り付けピンの形状が同じランプや適切な交換品を市場で探し出すことが、容易ではないという課題を有していた。
【０００９】
本発明は、前記従来の課題を解決するもので、照明装置のコンパクト化、簡単な絶縁構成を実現し、寿命を長くし、交換する作業をほとんど不要としたレンジフード付き高周波加熱装置を提供することを目的とする。
【課題を解決するための手段】
【００１０】
前記従来の課題を解決するために、本発明のレンジフード付き高周波加熱装置は、被加熱物を調理する加熱調理装置の上方に設けられるレンジフード付き高周波加熱装置において、装置本体内に設けられ被加熱物を収納する加熱室と、前記加熱室内に高周波電力を供給する高周波発生手段と、前記加熱室の壁面の外側に隣接して設けられた庫内照明装置と、前記装置本体の下部に設け前記加熱調理装置を照明する下方照明装置と、前記高周波発生手段と前記庫内照明装置と前記下方照明装置とを制御する制御手段とを備え、前記下方照明装置は発光ダイオード素子を用いたＬＥＤ照明であり、前記制御手段が制御するスイッチング電源から商用電源より低い低電圧電源を供給し、照明効率を高め集光するためにメッキ処理を施した反射板を有したものである。
【００１１】
これによって、下方照明装置として反射板を有したＬＥＤ照明を用いることで、光源の輝度を効率よく照明に生かし、消費電力を最小限に抑えて余分な発熱を抑える事ができ、ＬＥＤ照明装置の自己発熱量を低減でき、ＬＥＤ照明装置の寿命が長くなり、使い勝手が格段に向上する。
【００１２】
また、高温本体機器底面部分が下方調理機器からの熱で高温にさらされるが、下方照明装置を４０Ｖ程度、またはそれ以下の低電圧で動作するＬＥＤ照明にすることにより、電気絶縁構成を簡単にでき安全性が著しく向上する。
【発明の効果】
【００１３】
本発明のレンジフード付き高周波加熱装置は、下方照明装置として４０Ｖ程度、又はそれ以下の低電圧電源で動作するＬＥＤ照明を用い、放熱板や取付板の構成によって冷却効果を高めることができ、下方照明装置の寿命が長くなり半永久的に使用できるので、交換作業が不要になり、使い勝手が向上するとともに、電気絶縁構成を簡単にしながら、安全性を向上することができる。
【図面の簡単な説明】
【００１４】
【図１】本発明の実施の形態１におけるレンジフード付き高周波加熱装置の構造を示す図
【図２】本発明の実施の形態１におけるレンジフード付き高周波加熱装置のＬＥＤ照明装置の取付け構造図
【図３】本発明の実施の形態１におけるレンジフード付き高周波加熱装置のＬＥＤ照明装置と従来照明装置の電気絶縁構成の差を示す概略図
【図４】本発明の実施の形態１におけるレンジフード付き高周波加熱装置のＬＥＤ照明装置の電源供給源となるスイッチング電源の制御回路の概略図
【発明を実施するための形態】
【００１５】
第１の発明は、被加熱物を調理する加熱調理装置の上方に設けられるレンジフード付き高周波加熱装置において、装置本体内に設けられ被加熱物を収納する加熱室と、前記加熱室内に高周波電力を供給する高周波発生手段と、前記加熱室の壁面の外側に隣接して設けられた庫内照明装置と、前記装置本体の下部に設け前記加熱調理装置を照明する下方照明装置と、前記高周波発生手段と前記庫内照明装置と前記下方照明装置とを制御する制御手段とを備え、前記下方照明装置は発光ダイオード素子を用いたＬＥＤ照明装置であり、前記制御手段が制御するスイッチング電源から商用電源より低い低電圧電源を供給し、照明効率を高め集光するためにメッキ処理を施した反射板を有したものである。
【００１６】
これによって、制御手段が制御するスイッチング電源から４０Ｖ程度又はそれ以下の低電圧電源を下方照明装置としての前記ＬＥＤ照明装置に供給され、庫内照明装置が、発光ダイオードを用いた発光源が小さいＬＥＤ照明であるが、近年普及してきた５口コンロを有する下方調理器で広域に渡って調理される調理物に対して、表面にメッキを施した反射板を設け効率よく照明することで、消費電力を最小限に抑えて余分な発熱を抑える事ができ、ＬＥＤ照明装置の自己発熱量を低減でき、ＬＥＤ照明装置の寿命が長くなると共に、電気絶縁構成が簡単になり、安全で使い勝手を向上することができる。
【００１７】
第２の発明は、特に、第１の発明において、発光ダイオード素子は、放熱効果を高めるために熱伝導率の高いアルミ製伝導板の上に配し、前記アルミ製熱伝導板の熱を加熱室底面に放熱する取付板と前記メッキ処理を施した反射板に機械的に固定するとしたものである。
【００１８】
これによって、発光ダイオード素子の放熱効果を向上し、下方照明装置の寿命が長くなり半永久的に使用できるので、交換作業が不要になり、使い勝手が著しく向上することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態におけるレンジフード付き高周波加熱装置の構造図を示すものである。図２は、本発明の第１の実施の形態におけるレンジフード付き高周波加熱装置のＬＥＤ照明装置の取付け構造図を示すものである。図３は、本発明の第１の実実施の形態におけるレンジフード付き高周波加熱装置のＬＥＤ照明装置と従来型の照明装置の電気絶縁構成の差を示す概略図である。図４は、本発明の第１の実施の形態におけるレンジフード付き高周波加熱装置のＬＥＤ照明装置の電源供給源となるスイッチング電源の制御回路の概略図である。
【００２１】
図１において、レンジフード付き電子レンジ８（レンジフード付き高周波加熱装置）は、ガスコンロ１１（加熱調理装置）の上方に取り付けられている。レンジフード付き電子レンジ８の上部には、循環ファン１０を設けており、レンジフード付き電子レンジ８の下部に開口した生成ガス吸気口７から取り入れたガスコンロ１１から発生する生成ガスを、レンジフード付き電子レンジ８の背面側に設けた排気通路９を通し、戸外に排気している。
【００２２】
レンジフード付き電子レンジ８の本体の中には、食品などの高周波加熱調理物１６（被加熱物）を収納し加熱調理する加熱室１が設けられている。レンジフード付き電子レンジ８の本体の中には、加熱室１と並んで、機械室１７が設けられ、マグネトロン（高周波発生手段）３が配置されている。マグネトロン３で発生した２．４５ＧＨｚ帯の高周波電波は、導波管１４を伝搬して、加熱室１内へ供給される。
【００２３】
レンジフード付き電子レンジ８の下部には、ガスコンロ１１を照明する下方照明装置としてのＬＥＤ照明装置５が設けられている。このＬＥＤ照明装置５は、発光ダイオード素子（ＬＥＤ）を用いたものである。
【００２４】
ＬＥＤ照明装置５の下部で、かつレンジフード付き電子レンジ８の底部壁面には、下方照明光透過用窓１８が取りつけられ、ガスコンロ１１から発生する高温高湿の生成ガスが、ＬＥＤ照明装置５の近傍に侵入するのを防止している。
【００２５】
ＬＥＤ照明装置５は、スイッチング電源１３から、１２ＶＤＣ電源を供給されている。
【００２６】
なお、本実施の形態では、ＬＥＤ照明装置５への供給電圧を１２Ｖとしたが、これに限定されるものではなく、４０Ｖ程度より電圧値が低い低電圧電源であればよい。
【００２７】
制御手段１２は、機械室１７の中に設けられ、マグネトロン３、ＬＥＤ照明装置５のＯＮ／ＯＦＦ制御、及びスイッチング電源１３のＯＮ／ＯＦＦ制御を行う。
【００２８】
以上のように構成されたレンジフード付き高周波加熱装置（電子レンジ）について、以下その動作、作用を説明する。
【００２９】
まず、レンジフード付き電子レンジ８を使用して調理する場合、レンジフード付き電子レンジ８の加熱室１に高周波加熱調理物１６を収納し、マグネトロン３を運転して、加熱室１へ高周波電波を供給することで、加熱室１内の高周波加熱調理物１６を加熱する。この時、レンジフード付き電子レンジ８の調理のいかんに関わらず、使用者がガスコンロ１１等の加熱調理装置を用いて調理を行う場合、下方照明装置としてＬＥＤ照明装置５をＯＮし、制御手段１２がスイッチング電源１３をＯＮして、商用電圧を１２Ｖに低電圧化し、電源をＬＥＤ照明装置５へ供給する。
【００３０】
このＬＥＤ照明装置５が、下方調理物を照明することにより、使用者がガスコンロ１１を使用した調理に適切な照度が得られる。そして、調理が終了すると、制御手段１２がスイッチング電源１３をＯＦＦし、ＬＥＤ照明装置５がＯＦＦする。
【００３１】
また、このＬＥＤ照明装置５は間接照明や台所内照明灯としても利用され、レンジフード付き電子レンジ８やガスコンロ１１の動作に関わらず、ＬＥＤ照明装置５をＯＮ操作する。
【００３２】
図４において、レンジフード付き高周波加熱装置のスイッチング電源の制御回路の概略図を示す。
【００３３】
なお、下方照明装置としてのＬＥＤ照明装置５は、庫内照明装置４以上の明るさが求められる。これは、庫内照明装置４は、加熱室１内の調理中の高周波加熱調理物１６を調理の進行が分かる程度でよいのに対し、下方照明装置としてのＬＥＤ照明装置５は、下方の５口に渡る広域の加熱調理装置であるガスコンロ１１を照明したり、インテリア照明として台所内を照明したりする必要があるからである。
【００３４】
このようにＬＥＤ照明装置５は、照明装置としての明るさを求められるので自己発熱量も多い。また、ガスコンロ１１から発生する高温高湿の生成ガスによって、高い雰囲気温度の中で動作することも多い。ＬＥＤ照明装置５は、高温状態で動作し続けるとその寿命が短くなる特性がある。そのため本実施の形態では、ＬＥＤ照明装置５の発する光を効率的に下方調理物に照射するため、表面にメッキ処理を施した反射板２０を有し、必要最小限の消費電力に抑える構成としている。
【００３５】
更に、ＬＥＤ照明装置５の自己発熱による温度上昇を抑えるために、発光ダイオード素子１９を熱伝導効果の良いアルミ製熱伝導板２１の上に配し、アルミ製熱伝導板２１の熱を温度の低い加熱室１底面に放熱する取付板２２と前記メッキ処理を施した反射板２０にネジや機械的固定法２３で固定する。
【００３６】
図２において、レンジフード付き高周波加熱装置のＬＥＤ照明装置の取付け構造図を示す。
【００３７】
以上のように、本実施の形態においては、ＬＥＤ照明装置５の消費電力を最小限に抑えるだけでなく、最大限の放熱効果をもたらす構造が実現でき、下方照明装置の寿命が長くなり半永久的に使用できるので、交換作業が不要になり、使い勝手が著しく向上する。
【００３８】
また、下方照明装置をＬＥＤ照明装置５にすることにより、低電圧電源で動作させることができるので、電気絶縁性能を簡略化でき簡単な構造で安全性を向上できる。図３において、レンジフード付き高周波加熱装置のＬＥＤ照明装置と従来照明装置の電気絶縁構造の違いの図を示す。
【産業上の利用可能性】
【００３９】
以上のように、本発明にかかるレンジフード付き高周波加熱装置は、下方照明装置の寿命が長くなり半永久的に使用できるので、他の調理器の上で使われる循環ファン機器の分野にも適用できる。
【符号の説明】
【００４０】
１    加熱室
３    マグネトロン（高周波発生手段）
４    庫内照明装置
５    ＬＥＤ照明装置（下方照明装置）
８    レンジフード付き電子レンジ
１１  ガスコンロ（加熱調理装置）
１２  制御手段
１３  スイッチング電源
１６  高周波加熱調理物（被加熱物）
２０  反射板
２１  アルミ製熱伝導板
２２  取付板
２３  機械的固定法
【図１】
2013113568.tif 000003
【図２】
2013113568.tif 000004
【図３】
2013113568.tif 000005
【図４】
2013113568.tif 000006